(57)【要約】【課題】捕獲された塵に触れることなく、塵をゴミ箱などに捨てることを可能とする塵捕獲器具を提供することである。【解決手段】溜まる水を排水するための第１貫通孔８ａが形成された排水口部８に装着される塵捕獲器具１０であって、第１貫通孔８ａよりも孔面積が小さい第２貫通孔２３を有し、平面視で第２貫通孔２３が第１貫通孔８ａに重ねられた状態で排水口部８に係止可能な環状の係止部１２と、係止部１２が排水口部８に係止された際に第１貫通孔８ａ内に挿通され、塵を捕獲しつつ水を排出するように小さく畳むことが可能な網目状の捕獲部１４と、捕獲部１４の内側に固定され、捕獲部１４を小さく畳むように引き上げ可能に第２貫通孔２３から突出した突出部を有する紐部１６と、を備えることを特徴とする。【選択図】図１
2019167776.tif 000002
【特許請求の範囲】
【請求項１】
溜まる水を排水するための第１貫通孔が形成された排水口部に装着される塵捕獲器具であって、
前記第１貫通孔よりも孔面積が小さい第２貫通孔を有し、平面視で該第２貫通孔が前記第１貫通孔に重ねられた状態で前記排水口部に係止可能な環状の係止部と、
前記係止部が前記排水口部に係止された際に前記第１貫通孔内に挿通され、塵を捕獲しつつ水を排出するように小さく畳むことが可能な網目状の捕獲部と、
前記捕獲部の内側に固定され、前記捕獲部を小さく畳むように引き上げ可能に前記第２貫通孔から突出した突出部を有する紐部と、
を備えることを特徴とする塵捕獲器具。
【請求項２】
請求項１に記載の塵捕獲器具において、
前記紐部の前記突出部が挿通される第３貫通孔を有し、前記第２貫通孔と離れたところに位置する蓋部を備え、
前記蓋部は、前記紐部が引き上げられたときに前記紐部に沿って前記第２貫通孔に向かって移動し、前記第２貫通孔を塞ぐように設けられていることを特徴とする塵捕獲器具。
【請求項３】
請求項１または請求項２に記載の塵捕獲器具において、
前記係止部は、環状の形状を２つに折り畳めるように形成された２つの切欠きを有することを特徴とする塵捕獲器具。
【請求項４】
請求項１から請求項３のいずれか１項に記載の塵捕獲器具において、
前記係止部は、環状の径方向に沿った断面が階段形状を有しており、内径側に向けて厚みが増していることを特徴とする塵捕獲器具。
【請求項５】
請求項１から請求項４のいずれか１項に記載の塵捕獲器具において、
前記係止部は、前記排水口部に係止された後、前記排水口部から取り外すために起立可能に設けられた取手部を有することを特徴とする塵捕獲器具。
【発明の詳細な説明】
【技術分野】
【０００１】
本発明は、塵捕獲器具に関する。
【背景技術】
【０００２】
従来、一般家庭のキッチンのシンクに設けられた排水口や風呂の洗い場に設けられた排水口には水を流しつつ塵を捕獲するような複数のスリットが形成された蓋部材などが設置されている。
【０００３】
本発明に関連する技術として、例えば、特許文献１には、リング状をなすフレ−ム本体の内側の略全面にネット部を形成すると共に、フレ−ム本体に、目皿の通水孔に差込まれる略爪状乃至は舌片状をなす切起し片と、起立させて指で掴む掴み部とを設けた排水口のゴミ取りネットが開示されている。
【先行技術文献】
【特許文献】
【０００４】
【特許文献１】特開平８−８５９９０号公報
【発明の概要】
【発明が解決しようとする課題】
【０００５】
従来のようにスリットが形成された蓋部材によって塵が捕獲された後、その塵を捨てるために蓋を取り外す際に手が塵に触れてしまうことがある。キッチンのシンクの排水口に設けられた蓋では生ごみが塵として捕獲されるため、この生ごみに手が触れるのは決して気持ちの良いものではない。
【０００６】
本発明の目的は、捕獲された塵に触れることなく、塵をゴミ箱などに捨てることを可能とする塵捕獲器具を提供することである。
【課題を解決するための手段】
【０００７】
本発明に係る塵捕獲器具は、溜まる水を排水するための第１貫通孔が形成された排水口部に装着される塵捕獲器具であって、前記第１貫通孔よりも孔面積が小さい第２貫通孔を有し、平面視で該第２貫通孔が前記第１貫通孔に重ねられた状態で前記排水口部に係止可能な環状の係止部と、前記係止部が前記排水口部に係止された際に前記第１貫通孔内に挿通され、塵を捕獲しつつ水を排出するように小さく畳むことが可能な網目状の捕獲部と、  前記捕獲部の内側に固定され、前記捕獲部を小さく畳むように引き上げ可能に前記第２貫通孔から突出した突出部を有する紐部と、を備えることを特徴とする。
【０００８】
また、本発明に係る塵捕獲器具において、前記紐部の前記突出部が挿通される第３貫通孔を有し、前記第２貫通孔と離れたところに位置する蓋部を備え、前記蓋部は、前記紐部が引き上げられたときに前記紐部に沿って前記第２貫通孔に向かって移動し、前記第２貫通孔を塞ぐように設けられていることが好ましい。
【０００９】
また、本発明に係る塵捕獲器具において、前記係止部は、環状の形状を２つに折り畳めるように形成された２つの切欠きを有することが好ましい。
【００１０】
また、本発明に係る塵捕獲器具において、前記係止部は、環状の径方向に沿った断面が階段形状を有しており、内径側に向けて厚みが増していることが好ましい。
【００１１】
また、本発明に係る塵捕獲器具において、前記係止部は、前記排水口部に係止された後、前記排水口部から取り外すために起立可能に設けられた取手部を有することが好ましい。
【発明の効果】
【００１２】
本発明によれば、捕獲部の内側に固定され、捕獲部を小さく畳むように引き上げ可能に第２貫通孔から突出した突出部を有する紐部が設けられている。これにより、紐部を引き上げることで、捕獲部を小さく畳んで係止部を排水口部から取り外すことが出来るため、捕獲された塵に触れることなく、ゴミ箱に捨てることができる。
【図面の簡単な説明】
【００１３】
【図１】本発明に係る実施形態の塵捕獲器具を示す図である。
【図２】本発明に係る実施形態の塵捕獲器具をキッチンのシンクの排水口部から取り外してゴミ箱に捨てる様子を示す図である。
【図３】本発明に係る実施形態において、塵を捕獲した塵捕獲器具の捕獲部を折り畳んで水を切る手順を示す図である。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、塵捕獲器具１０を示す図である。図２は、塵捕獲器具１０をキッチンのシンク６の排水口部８から取り外してゴミ箱３に捨てる様子を示す図である。図３は、塵を捕獲した塵捕獲器具１０の捕獲部１４を折り畳んで水を切る手順を示す図である。
【００１６】
塵捕獲器具１０は、キッチンのシンク６に形成された排水口部８に装着され、捕獲された塵に触れることなく、塵をゴミ箱などに捨てることを可能とする使い捨ての器具である。塵捕獲器具１０は、係止部１２と、捕獲部１４と、紐部１６とを備えている。
【００１７】
排水口部８は、キッチンのシンク６の底面部の略中央に第１貫通孔８ａが形成されて構成される。シンク６の底面部は、水道蛇口７から出た水が排水口部８に向けて流れるように所定の傾斜が設けられている。
【００１８】
係止部１２は、排水口部８に形成された第１貫通孔８ａよりも孔面積が小さい第２貫通孔２３を有し、平面視で第２貫通孔２３が第１貫通孔８ａに重ねられた状態で排水口部８に係止可能な略ドーナツ状の環状を有している。
【００１９】
係止部１２は、環状の形状を２つに折り畳めるように形成された２つの切欠き２４を有する。２つの切欠き２４は、図１の拡大断面図に示されるように、略三角形状を有している。２つの切欠き２４は、略ドーナツ状の環状部分において、同一径上に対となるように設けられ、この径を中心線として係止部１２を２つに折り畳めるような構成になっている。
【００２０】
係止部１２は、図１のＡ−Ａ線断面図に示されるように、階段形状を有しており、内径側に向けて厚みが増している。シンク６の種類によって排水口部８の第１貫通孔８ａの直径が異なるが、様々な径に対して係止できるように階段部分を形成している。ここでは、三段の階段を有するものとして説明するが、もちろん、階段数は適宜変更することが可能である。
【００２１】
係止部１２は、適度な強度があって、防水性や耐熱性に優れた材質、シリコン等のゴム部材で構成されていることが好ましいが、もちろん、その他の材質であってもよく、例えば、プラスチック、金属などであってもよい。
【００２２】
係止部１２は、例えば、シリコン等のゴム部材であれば、排水口部８に係止するために排水口部８の端部に接触させた際に摩擦によって滑り落ちにくい状態とすることができる。また、必要に応じて接触する部分に低粘着性の材料などを塗布することも好ましい。
【００２３】
係止部１２は、排水口部８に係止された後、排水口部８から取り外すために起立可能に設けられた２つの取手部２２を有する。２つの取手部２２は、略ドーナツ状の環状部分において２つの切欠き２４と垂直に交わる径上に取り付けられており、環状部分の面と垂直になるように起立可能に曲げられるように設置されている。
【００２４】
２つの取手部２２は、環状部分とは異なり、排水口部８と接触しないように浮かせた状態で設置することが好ましく、必要に応じて起立させた状態で設置することも好適である。また、環状部分に上述した低粘着性の材料が塗布された場合に、取手部２２の部分に塗布しないようにすることが好ましい。
【００２５】
捕獲部１４は、係止部１２が排水口部８に係止された際に第１貫通孔８ａ内に挿通され、塵を捕獲しつつ水を排出するように小さく畳むことが可能な網目状の材質で構成されている。
【００２６】
捕獲部１４は、折り畳み可能なように柔軟性を有する材質、例えば、ポリアミド合成樹脂の一種であるナイロン製の網で構成されている。捕獲部１４は、図１の拡大図に示されるように、係止部１２に近くなる上部に向けて径が大きくなり、係止部１２から遠くなる下部に向けて径が徐々に小さくなるように構成されている。
【００２７】
捕獲部１４は、側面視でホームベースのような形状を有し、下部に向けて先細りとなるような形状を有している。この先細りした底面部については、もちろん、ナイロン製の同一材質で構成してもよいが、底面部近傍だけ不織布で構成してもよい。
【００２８】
紐部１６は、１本の紐の端部にフック部２０が取り付けられ、第３貫通孔１９が形成された蓋部１８が挿通された後に複数本の紐（図１では４本）に分かれ、この複数本の紐が均等に分かれて（４本の場合、９０度ずつずれて設けられる）、捕獲部１４の内側に固定され、捕獲部１４を小さく畳むように引き上げ可能に取り付けられている。
【００２９】
フック部２０は、適度な強度を有しつつ柔軟性を有する材質（例えば、プラスチック）で構成されている。フック部２０は、一部に切欠きを有する略環状部材であり、例えば、キッチンのシンク６に設けられた水道蛇口７に引掛けることができる。
【００３０】
蓋部１８は、第２貫通孔２３の孔面積に等しい面積を有する円盤部と、円盤部の略中央部に設けられた円柱部とを備えており、紐部１６の突出部が挿通される第３貫通孔１９を有している。
【００３１】
蓋部１８は、通常時に、第２貫通孔２３と離れたところに位置されている。蓋部１８は、紐部１６が引き上げられたときに紐部１６に沿って第２貫通孔２３に向かって移動し、第２貫通孔２３を塞ぐ機能を有している。
【００３２】
続いて、上記構成の塵捕獲器具１０の作用について説明する。ユーザー２は、使用前の塵捕獲器具１０を準備し、平面視で係止部１２の第２貫通孔２３がシンク６の排水口部８の第１貫通孔８ａに重ねられた状態で排水口部８に係止可能する。このとき、塵捕獲器具１０の係止部１２は階段状に形成されているため、第１貫通孔８ａの大きさに応じて接触面を適宜変えることができる。
【００３３】
そして、フック部２０を水道蛇口７に引掛けることで、万一、係止部１２が外れてしまった場合であっても、塵捕獲器具１０の移動を規制することができる。このとき、蓋部１８はフック部２０の近傍に配置するなど、排水や塵の捕獲の邪魔にならない位置に配置しておくことが好ましい。
【００３４】
この状態で炊事作業などを継続していると、排水口部８に向けて流れた水や塵は、捕獲部１４により水は排出しつつ塵を捕獲することができる。なお、塵捕獲器具１０は、図１に示されるように、上方から下方に向けて捕獲部１４の孔の径が小さくなっているため、上方の大きな孔でしっかりと排水を行いつつ、下方の小さな孔でしっかりと塵を捕獲することができる。塵が捕獲部１４内で所定量以上に溜まると塵捕獲器具１０を新しいものに交換する時期がきたものと判断する。
【００３５】
交換時期がくると、ユーザー２は、取手部２２を起立させて係止部１２を取り外す。このとき、２つの切欠き２４に渡る直径を中心として２つに折り畳んで、捕獲部１４内の水を切ることができる。そして、フック部２０を水道蛇口７から外して、一方の手でフック部２０を持ちつつ、他方の手で蓋部１８を係止部１２の第２貫通孔２３に向けて移動するように力を加える。
【００３６】
図３では、蓋部１８が移動している様子を示す図であり、フック部２０を持って紐部１６を引き上げつつ、蓋部１８を移動させると、図３（ａ）のように捕獲部１４が畳まれ始まり、その後、紐部１６を引き上げると図３（ｂ）のように捕獲部１４がさらにコンパクトに畳まれる。
【００３７】
さらに、紐部１６を引き上げつつ、蓋部１８を移動させると、図３（ｃ）に示されるように、蓋部１８の押圧力によって捕獲部１４に付着した水を切ることができる。このように、コンパクトにした後で、図２に示されるように、ごみ箱３などにそのまま捨てることができる。
【００３８】
このように、塵捕獲器具１０によれば、取手部２２及び紐部１６の引き上げによって、塵捕獲器具１０を排水口部８から取り外すことが出来るため、塵に触れることなく、塵捕獲器具１０を捨てることができるという顕著な効果を奏する。
【符号の説明】
【００３９】
３  ゴミ箱、６  シンク、７  水道蛇口、８  排水口部、８ａ  貫通孔、１０  塵捕獲器具、１２  係止部、１４  捕獲部、１６  紐部、１８  蓋部、１９  貫通孔、２０  フック部、２２  取手部、２３  貫通孔。
【図１】
2019167776.tif 000003
【図２】
2019167776.tif 000004
【図３】
2019167776.tif 000005
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
溜まる水を排水するための第１貫通孔が形成された排水口部に装着される塵捕獲器具であって、
前記第１貫通孔よりも孔面積が小さい第２貫通孔を有し、平面視で該第２貫通孔が前記第１貫通孔に重ねられた状態で前記排水口部に係止可能な環状の係止部と、
前記係止部が前記排水口部に係止された際に前記第１貫通孔内に挿通され、塵を捕獲しつつ水を排出するように小さく畳むことが可能な網目状の捕獲部と、
前記捕獲部の内側に固定され、前記捕獲部を小さく畳むように引き上げ可能に前記第２貫通孔から突出した突出部を有する紐部と、
前記紐部の前記突出部が挿通される第３貫通孔を有し、前記第２貫通孔と離れたところに位置する蓋部を備え、
前記蓋部は、前記紐部が引き上げられたときに前記紐部に沿って前記第２貫通孔に向かって移動し、前記第２貫通孔を塞ぐように設けられていることを特徴とする塵捕獲器具。
【請求項２】
請求項１に記載の塵捕獲器具において、
前記係止部は、環状の形状を２つに折り畳めるように形成された２つの切欠きを有することを特徴とする塵捕獲器具。
【請求項３】
請求項１または請求項２に記載の塵捕獲器具において、
前記係止部は、環状の径方向に沿った断面が階段形状を有しており、内径側に向けて厚みが増していることを特徴とする塵捕獲器具。
【請求項４】
請求項１から請求項３のいずれか１項に記載の塵捕獲器具において、
前記係止部は、前記排水口部に係止された後、前記排水口部から取り外すために起立可能に設けられた取手部を有することを特徴とする塵捕獲器具。
【手続補正２】
【補正対象書類名】明細書
【補正対象項目名】０００７
【補正方法】変更
【補正の内容】
【０００７】
本発明に係る塵捕獲器具は、溜まる水を排水するための第１貫通孔が形成された排水口部に装着される塵捕獲器具であって、前記第１貫通孔よりも孔面積が小さい第２貫通孔を有し、平面視で該第２貫通孔が前記第１貫通孔に重ねられた状態で前記排水口部に係止可能な環状の係止部と、前記係止部が前記排水口部に係止された際に前記第１貫通孔内に挿通され、塵を捕獲しつつ水を排出するように小さく畳むことが可能な網目状の捕獲部と、前記捕獲部の内側に固定され、前記捕獲部を小さく畳むように引き上げ可能に前記第２貫通孔から突出した突出部を有する紐部と、前記紐部の前記突出部が挿通される第３貫通孔を有し、前記第２貫通孔と離れたところに位置する蓋部を備え、前記蓋部は、前記紐部が引き上げられたときに前記紐部に沿って前記第２貫通孔に向かって移動し、前記第２貫通孔を塞ぐように設けられていることを特徴とする。
【手続補正３】
【補正対象書類名】明細書
【補正対象項目名】０００８
【補正方法】削除
【補正の内容】